【手続補正書】
【提出日】令和1年6月7日(2019.6.7)
【手続補正１】
【補正対象書類名】特許請求の範囲
【補正対象項目名】全文
【補正方法】変更
【補正の内容】
【特許請求の範囲】
【請求項１】
アプリケーションのダウンロード記述情報を、ＨＴＴＰＳチャネルを用いてダウンロードするステップであって、前記ダウンロード記述情報はダウンロードアドレス情報を含む、前記ステップ（１０１）（２０１）（３０１）と；
前記ダウンロードアドレス情報に対応する第１のアプリケーションパッケージを、ＨＴＴＰチャネルを用いてダウンロードするステップ（１０２）（２０２）（３０２）と；を備える、
アプリケーションダウンロード方法。
【請求項２】
前記ダウンロード記述情報は、ダウンロード検証情報を更に含み；
前記方法は：
前記ダウンロード検証情報に従い、局地的にダウンロードされた第１のアプリケーションパッケージを検証するステップ（２０３）（３０３）を更に備える、
請求項１に記載のアプリケーションダウンロード方法。
【請求項３】
前記ダウンロード検証情報は、前記アプリケーションのＵＲＬ（Ｕｎｉｆｏｒｍ  Ｒｅｓｏｕｒｃｅ  Ｌｏｃａｔｏｒ）、前記アプリケーションの抽象情報、又は前記アプリケーションの署名情報を備える、
請求項２に記載のアプリケーションダウンロード方法。
【請求項４】
局地的にダウンロードされた第１のアプリケーションパッケージを検証する前記ステップは：
抽象アルゴリズムにより前記第１のアプリケーションパッケージで抽象操作を実行するステップ、又は、前記第１のアプリケーションパッケージで署名操作を実行するステップと；
前記抽象操作又は前記署名操作の結果を前記ダウンロード記述情報と比較するステップと；
前記抽象操作又は前記署名操作の結果が前記ダウンロード記述情報と一致することを示す前記比較に応答して、前記検証が成功したことを示すステップと；を備える、
請求項２又は請求項３に記載のアプリケーションダウンロード方法。
【請求項５】
前記抽象操作は、抽象データ型に対して指定された操作を備え、
任意で、前記抽象アルゴリズムは、ＭＤ５アルゴリズムを備える、
請求項４に記載のアプリケーションダウンロード方法。
【請求項６】
前記検証に失敗した場合に、前記ＨＴＴＰＳチャネルを用いて前記ダウンロードアドレス情報に対応する第２のアプリケーションパッケージをダウンロードするステップ（３０４）を更に備える、
請求項２〜請求項５のいずれか１項に記載のアプリケーションダウンロード方法。
【請求項７】
アプリケーションのダウンロード記述情報を、ＨＴＴＰＳチャネルを用いてダウンロードする前記ステップは：
ユーザのダウンロード指示に応じて、前記ＨＴＴＰＳチャネルを用いて前記ダウンロード指示に対応するアプリケーションのダウンロード記述情報をダウンロードするステップ；及び／又は、
ダウンロード条件が満たされた場合、前記ＨＴＴＰＳチャネルを用いて前記ダウンロード条件に対応するアプリケーションのダウンロード記述情報をダウンロードするステップ；を備える、
請求項１に記載のアプリケーションダウンロード方法。
【請求項８】
前記ダウンロードアドレス情報に対応する第１のアプリケーションパッケージを、ＨＴＴＰチャネルを用いてダウンロードする前記ステップの前に、前記方法は：
前記ダウンロード条件に対応するアプリケーションのダウンロード記述情報を局地的に記憶するステップと；
前記ユーザのダウンロード指示に応じて、前記ダウンロード指示に対応するアプリケーションのダウンロード記述情報を局地的に読み出すステップと；を更に備え、
前記ダウンロードアドレス情報に対応する第１のアプリケーションパッケージを、ＨＴＴＰチャネルを用いてダウンロードする前記ステップは、具体的に、読み出されたダウンロードアドレス情報に対応する前記第１のアプリケーションパッケージを、前記ＨＴＴＰチャネルを用いてダウンロードするステップである、
請求項７に記載のアプリケーションダウンロード方法。
【請求項９】
前記ダウンロード条件は、アプリケーションダウンロードツールがイネーブル化されているとき、アプリケーションがイネーブル化されているとき、及びサーバからの同期要求が受信されているとき、のうちの１つ以上の条件を含む、
請求項７又は請求項８に記載のアプリケーションダウンロード方法。
【請求項１０】
前記アプリケーションダウンロードツールがイネーブル化されていることが前記ダウンロード条件である場合、前記ダウンロード条件に対応する前記アプリケーションは予め構成されたアプリケーションを含み、前記予め構成されたアプリケーションは一般向けのアプリケーション及びユーザが構成したアプリケーションのうちの少なくとも１つを含む、
請求項９に記載のアプリケーションダウンロード方法。
【請求項１１】
請求項１〜請求項１０のいずれか１項に記載のアプリケーションダウンロード方法を実行するように構成された複数のモジュール（５０１）（５０２）を備える、
アプリケーションダウンロードデバイス。
【手続補正２】
【補正対象書類名】明細書
【補正対象項目名】００７１
【補正方法】変更
【補正の内容】
【００７１】
本願で提供されたアプリケーションダウンロード方法及び装置は上記に詳細に記載される。本願の原理及び実施は具体的な実施例を用いて説明される。実施の形態の上記の説明は、単に本願の方法及びその中心的な考えを理解することを意図する。更に、当業者は本願の考えに従った特定の実施及び適用の範囲に変更を加えることができる。最後に、明細書の内容を、本願の限定として解釈すべきではない。
［第１の局面］
アプリケーションダウンロード方法であって：
アプリケーションのダウンロード記述情報を、ＨＴＴＰＳチャネルを用いてダウンロードするステップであって、前記ダウンロード記述情報はダウンロードアドレス情報を含む、ダウンロードするステップと；
前記ダウンロードアドレス情報に対応する第１のアプリケーションパッケージを、ＨＴＴＰチャネルを用いてダウンロードするステップと；を備える、
アプリケーションダウンロード方法。
［第２の局面］
前記ダウンロード記述情報はダウンロード検証情報を更に含み；
前記方法は：
前記ダウンロード検証情報に従い、局地的にダウンロードされた第１のアプリケーションパッケージを検証するステップを更に備える、
第１の局面に記載の方法。
［第３の局面］
前記検証に失敗した場合に、前記ＨＴＴＰＳチャネルを用いて前記ダウンロードアドレス情報に対応する第２のアプリケーションパッケージをダウンロードするステップを更に備える、
第２の局面に記載の方法。
［第４の局面］
アプリケーションのダウンロード記述情報を、ＨＴＴＰＳチャネルを用いてダウンロードする前記ステップは：
ユーザのダウンロード指示に応じて、前記ＨＴＴＰＳチャネルを用いて前記ダウンロード指示に対応するアプリケーションのダウンロード記述情報をダウンロードするステップ；及び／又は、
ダウンロード条件が満たされれば、前記ＨＴＴＰＳチャネルを用いて前記ダウンロード条件に対応するアプリケーションのダウンロード記述情報をダウンロードするステップ；を備える、
第１の局面に記載の方法。
［第５の局面］
前記ダウンロードアドレス情報に対応する第１のアプリケーションパッケージを、ＨＴＴＰチャネルを用いてダウンロードする前記ステップの前に、前記方法は：
前記ダウンロード条件に対応する前記アプリケーションの前記ダウンロード記述情報を局地的に記憶するステップと；
前記ユーザの前記ダウンロード指示に応じて、前記ダウンロード指示に対応する前記アプリケーションの前記ダウンロード記述情報を局地的に読み出すステップと；を更に備え、
前記ダウンロードアドレス情報に対応する第１のアプリケーションパッケージを、ＨＴＴＰチャネルを用いてダウンロードする前記ステップは、具体的には、前記読み出されたダウンロードアドレス情報に対応する前記第１のアプリケーションパッケージを、前記ＨＴＴＰチャネルを用いてダウンロードするステップである、
第４の局面に記載の方法。
［第６の局面］
前記ダウンロード条件は、アプリケーションダウンロードツールがイネーブル化されているとき、アプリケーションがイネーブル化されているとき、及びサーバからの同期要求が受信されているとき、のうちの１つ以上の条件を含む、
第４の局面又は第５の局面に記載の方法。
［第７の局面］
前記アプリケーションダウンロードツールがイネーブル化されていることが前記ダウンロード条件である場合、前記ダウンロード条件に対応する前記アプリケーションは予め構成されたアプリケーションを含み、前記予め構成されたアプリケーションは一般向けのアプリケーション及びユーザが構成したアプリケーションのうちの少なくとも１つを含む、
第６の局面に記載の方法。
［第８の局面］
アプリケーションダウンロード装置であって：
アプリケーションのダウンロード記述情報を、ＨＴＴＰＳチャネルを用いてダウンロードするように構成された第１のダウンロードモジュールであって、前記ダウンロード記述情報はダウンロードアドレス情報を含む、第１のダウンロードモジュールと；
前記ダウンロードアドレス情報に対応する第１のアプリケーションパッケージを、ＨＴＴＰチャネルを用いてダウンロードするように構成された第２のダウンロードモジュールと；を備える、
アプリケーションダウンロード装置。
［第９の局面］
前記ダウンロード記述情報はダウンロード検証情報を更に含み、
前記装置は、前記ダウンロード検証情報に従い、局地的にダウンロードされた第１のアプリケーションパッケージを検証するように構成された第１の検証モジュールを更に備える、
第８の局面に記載の装置。
［第１０の局面］
前記検証に失敗したとき、前記ダウンロードアドレス情報に対応する第２のアプリケーションパッケージを、ＨＴＴＰＳチャネルを用いてダウンロードするように構成された第３のダウンロードモジュールを更に備える、
第９の局面に記載の装置。
［第１１の局面］
前記第１のダウンロードモジュールは：
ユーザのダウンロード指示に応じて、前記ダウンロード指示に対応するアプリケーションのダウンロード記述情報を、ＨＴＴＰＳチャネルを用いてダウンロードするように構成された第４のダウンロードサブモジュール；及び／又は、
ダウンロード条件が満たされれば、前記ダウンロード条件に対応するアプリケーションのダウンロード記述情報を、ＨＴＴＰＳチャネルを用いてダウンロードするよう構成された第５のダウンロードサブモジュール；を備える、
第８の局面に記載の装置。
［第１２の局面］
前記第２のダウンロードモジュールが前記ダウンロードアドレス情報に対応する第１のアプリケーションパッケージを、前記ＨＴＴＰチャネルを用いてダウンロードする前に、前記ダウンロード条件に対応する前記アプリケーションの前記ダウンロード記述情報を局地的に記憶するよう構成された記憶モジュールと；
前記ユーザの前記ダウンロード指示に応じて、前記ダウンロード指示に対応する前記アプリケーションの前記ダウンロード記述情報を局地的に読み出すよう構成された読出しモジュールと；を更に備え、
前記第２のダウンロードモジュールは具体的に、前記ＨＴＴＰチャネルを用いて前記読み出されたダウンロードアドレス情報に対応する前記第１のアプリケーションパッケージをダウンロードするよう構成された、
第１１の局面に記載の装置。
［第１３の局面］
前記ダウンロード条件は、アプリケーションダウンロードツールがイネーブル化されているとき、アプリケーションがイネーブル化されているとき、及びサーバからの同期要求が受信されているとき、のうちの１つ以上の条件を含む、
第１１の局面又は第１２の局面に記載の装置。
［第１４の局面］
前記アプリケーションダウンロードツールがイネーブル化されていることが前記ダウンロード条件であるとき、前記ダウンロード条件に対応する前記アプリケーションは予め構成されたアプリケーションを含み、前記予め構成されたアプリケーションは一般向けのアプリケーション及びユーザが構成したアプリケーションのうちの少なくとも１つを含む、
第１３の局面に記載の装置。